(57)【要約】【課題】一例として、集電部とリードとの接合にかかる手間を低減しやすく、かつリードの電気抵抗を小さくしやすい電池を得る。【解決手段】実施形態の電池は、端子と、電極体と、集電部と、リードと、を備えた。電極体は、一対の電極と一対の電極間に介在したセパレータとが互いに重ねられ且つ巻かれた。集電部は、電極体から突出した。リードは、端子と集電部との間に介在した。リードが、端子と接続された第一部分と、集電部の突出方向に延びるとともに、突出方向と交差する第一方向に集電部と重ねられ集電部と接合された第二部分と、突出方向と交差する第二方向に延びるとともに、第二部分の突出方向の端部と接続された第三部分と、を有した。第一方向に見た場合、リードの第二部分以外の部分が、集電部と第二部分との接合部から外れた位置に設けられた。【選択図】図１４
2018055890.tif 000002
【特許請求の範囲】
【請求項１】
筐体と、
筐体に支持された端子と、
前記筐体に収容され、一対の電極と前記一対の電極間に介在したセパレータとが互いに重ねられ且つ巻かれた電極体と、
前記電極に設けられ、前記電極体から突出した集電部と、
前記端子と前記集電部との間に介在したリードと、
を備え、
前記リードが、前記端子と接続された第一部分と、前記集電部の突出方向に延びるとともに、前記突出方向と交差する第一方向に前記集電部と重ねられ当該集電部と接合された第二部分と、前記突出方向と交差する第二方向に延びるとともに、前記第二部分の前記突出方向の端部と接続された第三部分と、を有し、
前記第一方向に見た場合、前記リードの前記第二部分以外の部分が、前記集電部と前記第二部分との接合部から外れた位置に設けられた、電池。
【請求項２】
前記リードが、前記第三部分と面し前記第三部分を介して前記第二部分と接続された第四部分を有した、請求項１に記載の電池。
【請求項３】
前記第三部分が、前記集電部の前記突出方向の端部と前記突出方向に面し、
前記集電部の前記端部が、前記第二部分と前記第四部分との間に位置した、請求項２に記載の電池。
【請求項４】
筐体と、
筐体に支持された端子と、
前記筐体に収容され、一対の電極と前記一対の電極間に介在したセパレータとが互いに重ねられ且つ巻かれた電極体と、
前記電極に設けられ、前記電極体から突出した集電部と、
前記端子と前記集電部との間に介在したリードと、
を備え、
前記リードが、前記端子と接続された第一部分と、前記集電部の突出方向に延びるとともに、前記突出方向と交差する第一方向に前記集電部と重ねられ当該集電部と接合された第二部分と、前記集電部の前記第二部分とは反対側で前記集電部と重ねられて前記集電部と接合された第三部分と、を有し、
前記集電部が、前記第二部分と前記集電部との第一接合部と、前記第三部分と前記集電部との第二接合部との間で、前記第一接合部と前記第二接合部とに渡って設けられ、
前記第一方向に見た場合、前記リードの前記第二部分および前記第三部分以外の部分が、前記第一接合部および前記第二接合部から外れた位置に設けられた、電池。
【請求項５】
前記リードが、前記集電部の、当該集電部の突出方向の端部、と前記突出方向に面し、前記第二部分と前記第三部分とを接続した第四部分を有した、請求項４に記載の電池。
【請求項６】
請求項１〜３のいずれか一つに記載の電池の前記集電部と前記リードとの接合方法であって、
前記第二部分を前記第一方向に前記集電部と重ね、
前記第二部分と前記集電部との重なり方向に、前記第二部分と前記集電部とを接合装置の第一部材と前記接合装置の第二部材とで挟み、前記第一部材と前記第二部材とに挟まれた前記集電部と前記第二部分とを前記接合装置によって接合する、接合方法。
【請求項７】
請求項４または５に記載の電池の前記集電部と前記リードとの接合方法であって、
前記第二部分を前記第一方向に前記集電部と重ねるとともに、前記第三部分を前記集電部の前記第二部分とは反対側で前記集電部と重ね、
前記第二部分と前記集電部と前記第三部分との重なり方向に、前記第二部分と前記集電部と前記第三部分とを接合装置の第一部材と前記接合装置の第二部材とで挟み、前記第一部材と前記第二部材とに挟まれた前記集電部と前記第二部分と前記第三部分とを前記接合装置によって接合する、接合方法。
【発明の詳細な説明】
【技術分野】
【０００１】
本発明の実施形態は、電池および接合方法に関する。
【背景技術】
【０００２】
従来、電極体に設けられた集電部と、端子とが、リードを介して接続された電池が知られている。
【先行技術文献】
【特許文献】
【０００３】
【特許文献１】特開２００７−１９０１７号公報
【特許文献２】特開２０１１−１６５４３７号公報
【特許文献３】特開２０１２−５４１２２号公報
【発明の概要】
【発明が解決しようとする課題】
【０００４】
しかしながら、従来技術においては、集電部とリードとの接合に手間がかかるという問題がある。また、この種の電池では、リードの電気抵抗の低減が望まれている。そこで、一例として、集電部とリードとの接合にかかる手間を低減しやすく、かつリードの電気抵抗を小さくしやすい電池および接合方法が得られれば、好ましい。
【課題を解決するための手段】
【０００５】
実施形態の電池は、筐体と、端子と、電極体と、集電部と、リードと、を備えた。前記端子は、前記筐体に支持された。前記電極体は、前記筐体に収容され、一対の電極と前記一対の電極間に介在したセパレータとが互いに重ねられ且つ巻かれた。前記集電部は、前記電極に設けられ、前記電極体から突出した。前記リードは、前記端子と前記集電部との間に介在した。前記リードが、前記端子と接続された第一部分と、前記集電部の突出方向に延びるとともに、前記突出方向と交差する第一方向に前記集電部と重ねられ当該集電部と接合された第二部分と、前記突出方向と交差する第二方向に延びるとともに、前記第二部分の前記突出方向の端部と接続された第三部分と、を有した。前記第一方向に見た場合、前記リードの前記第二部分以外の部分が、前記集電部と前記第二部分との接合部から外れた位置に設けられた。
【図面の簡単な説明】
【０００６】
【図１】図１は、第１実施形態の電池の模式的かつ例示的な斜視図である。
【図２】図２は、第１実施形態の電池の蓋組立体の模式的かつ例示的な斜視図である。
【図３】図３は、第１実施形態の電池の電極体の模式的かつ例示的な分解斜視図であって、電極体の一部が展開された状態を示す図である。
【図４】図４は、第１実施形態の電池の蓋組立体の一部の模式的かつ例示的な斜視図である。
【図５】図５は、第１実施形態の電池の蓋組立体の一部の模式的かつ例示的な斜視図である。
【図６】図６は、第１実施形態の電池の正極リードの模式的かつ例示的な斜視図である。
【図７】図７は、第１実施形態の電池の負極リードの模式的かつ例示的な斜視図である。
【図８】図８は、第１実施形態の電池の正極リードの模式的かつ例示的な正面図である。
【図９】図９は、第１実施形態の電池の正極リードの模式的かつ例示的な右側面図である。
【図１０】図１０は、第１実施形態の電池の正極リードの模式的かつ例示的な左側面図である。
【図１１】図１１は、第１実施形態の電池の正極リードの模式的かつ例示的な背面図である。
【図１２】図１２は、第１実施形態の電池の正極リードの模式的かつ例示的な平面図である。
【図１３】図１３は、第１実施形態の電池の正極リードの模式的かつ例示的な底面図である。
【図１４】図１４は、図１のXIV部の一部の断面図である。
【図１５】図１５は、第１実施形態の電池の集電部とリードとの接合の一工程を示す模式的かつ例示的な断面図である。
【図１６】図１６は、第１実施形態の電池の集電部とリードとの接合の一工程を示す模式的かつ例示的な断面図である。
【図１７】図１７は、第２実施形態の電池の蓋組立体の模式的かつ例示的な斜視図である。
【図１８】図１８は、第２実施形態の電池の蓋組立体の一部の模式的かつ例示的な斜視図である。
【図１９】図１９は、第２実施形態の電池の蓋組立体の一部の模式的かつ例示的な斜視図である。
【図２０】図２０は、第２実施形態の電池の正極リードの模式的かつ例示的な斜視図である。
【図２１】図２１は、第２実施形態の電池の負極リードの模式的かつ例示的な斜視図である。
【図２２】図２２は、第２実施形態の電池の正極リードの模式的かつ例示的な正面図である。
【図２３】図２３は、第２実施形態の電池の正極リードの模式的かつ例示的な右側面図である。
【図２４】図２４は、第２実施形態の電池の正極リードの模式的かつ例示的な左側面図である。
【図２５】図２５は、第２実施形態の電池の正極リードの模式的かつ例示的な背面図である。
【図２６】図２６は、第２実施形態の電池の正極リードの模式的かつ例示的な平面図である。
【図２７】図２７は、第２実施形態の電池の正極リードの模式的かつ例示的な底面図である。
【図２８】図２８は、第２実施形態の電池の模式的かつ例示的な断面図であって、図１４に相当する図である。
【図２９】図２９は、第２実施形態の電池の集電部とリードとの接合の一工程を示す模式的かつ例示的な断面図である。
【図３０】図３０は、第２実施形態の電池の集電部とリードとの接合の一工程を示す模式的かつ例示的な断面図である。
【発明を実施するための形態】
【０００７】
以下、図面を参照して、実施形態について説明する。なお、以下の例示的な複数の実施形態には、同様の構成要素が含まれている。よって、以下では、同様の構成要素には共通の符号が付されるとともに、重複する説明が省略される。また、以下の各図では、便宜上、方向が規定されている。Ｘ方向は、筐体２０の短手方向（厚さ方向）に沿い、Ｙ方向は、筐体２０の長手方向（幅方向）に沿い、Ｚ方向は、筐体２０の上下方向（高さ方向）に沿っている。Ｘ方向、Ｙ方向、およびＺ方向は、互いに直交している。
【０００８】
また、以下に示される実施形態の構成（技術的特徴）、ならびに当該構成によってもたらされる作用および結果（効果）は、あくまで一例である。本発明は、以下の実施形態に開示される構成以外によっても実現可能であるとともに、基本的な構成によって得られる種々の効果（派生的な効果も含む）のうち少なくとも一つを得ることが可能である。
【０００９】
＜第１実施形態＞
図１，２に示されるように、電池１０は、筐体２０と、正極端子２３と、負極端子２４と、電極体２５と、正極リード２６と、負極リード２７と、を有している。正極端子２３および負極端子２４は、筐体２０に支持された状態で筐体２０の外部に露出している。また、電極体２５、正極リード２６、および負極リード２７は、筐体２０に収容されている。電池１０は、例えば、リチウムイオン二次電池である。
【００１０】
筐体２０は、Ｘ方向に薄い扁平な直方体状に構成されている。筐体２０は、複数の壁部２０ａ〜２０ｆを有している。壁部２０ａおよび壁部２０ｃは、いずれも、筐体２０の厚さ方向（Ｘ方向）と交差する方向（本実施形態では、例えば直交する方向、ＹＺ平面）に沿って延びている。壁部２０ａおよび壁部２０ｃは、筐体２０の厚さ方向（Ｘ方向）に間隔をあけて互いに平行に設けられている。また、壁部２０ｂおよび壁部２０ｄは、いずれも、筐体２０の幅方向（Ｙ方向）と交差する方向（本実施形態では、例えば直交する方向、ＸＺ平面）に沿って延びている。壁部２０ｂおよび壁部２０ｄは、筐体２０の幅方向（Ｙ方向）に間隔をあけて互いに平行に設けられている。壁部２０ａ〜２０ｄは、側壁部等と称されうる。また、壁部２０ａ，２０ｃは、側壁部のうちの長辺部の一例であり、壁部２０ｂ，２０ｄは、側壁部のうちの短辺部の一例である。また、壁部２０ｅおよび壁部２０ｆは、いずれも、筐体２０の高さ方向（Ｚ方向）と交差する方向（本実施形態では、例えば直交する方向、ＸＹ平面）に沿って延びている。壁部２０ｅおよび壁部２０ｆは、筐体２０の高さ方向（Ｚ方向）に間隔をあけて互いに平行に設けられている。壁部２０ｅは、下壁部や、底壁部等と称されうる。また、壁部２０ｆは、上壁部や、天壁部等と称されうる。筐体２０は、外装缶やケースとも称される。
【００１１】
また、筐体２０は、複数の部品（分割体）が組み合わせられて構成されることができる。具体的には、本実施形態では、筐体２０は、少なくとも壁部２０ａ〜２０ｅを含む収容部材２１と、少なくとも壁部２０ｆを含む蓋部材２２と、を有している。収容部材２１の内側には、電極体２５や、正極リード２６、負極リード２７等を収容する開口部が設けられている。すなわち、収容部材２１は、一端側（上端側）が開放された直方体状の箱型に構成されている。蓋部材２２は、四角形状（長方形状）の板状に構成され、収容部材２１の開口部を塞いだ状態で、収容部材２１と結合（一体化）される。また、収容部材２１と蓋部材２２とは、例えば溶接などによって気密および液密に結合されうる。収容部材２１や蓋部材２２は、金属材料（例えば、アルミニウムや、アルミニウム合金、ステンレス等）で構成されている。なお、壁部２０ａ〜２０ｅの内面には、収容部材２１と正極リード２６および負極リード２７とを絶縁する絶縁層（例えば、絶縁シート等）が設けられうる。収容部材２１および蓋部材２２は、筐体部材とも称される。
【００１２】
また、図２に示されるように、蓋部材２２には、正極端子２３、負極端子２４、電極体２５、正極リード２６、および負極リード２７が取り付けられている。蓋部材２２は、正極端子２３、負極端子２４、電極体２５、正極リード２６、および負極リード２７とともに、蓋組立体１１を構成している。
【００１３】
正極端子２３および負極端子２４は、蓋部材２２（壁部２０ｆ）に設けられている。具体的には、正極端子２３は、蓋部材２２の長手方向（Ｙ方向、筐体２０の幅方向）の一端部に位置し、負極端子２４は、蓋部材２２の長手方向（Ｙ方向、筐体２０の幅方向）の他端部に位置している。正極端子２３は、壁部２０ｆを貫通した状態で壁部２０ｆ（筐体２０）に支持され、筐体２０の内側で正極リード２６と結合されている。すなわち、正極端子２３は、正極リード２６と電気的に接続されている。また、負極端子２４は、壁部２０ｆを貫通した状態で壁部２０ｆ（筐体２０）に支持され、壁部２０ｆ（筐体２０）の内側で負極リード２７に結合されている。すなわち、負極端子２４は、負極リード２７と電気的に接続されている。
【００１４】
また、正極端子２３と壁部２０ｆとの間、および負極端子２４と壁部２０ｆとの間には、それぞれ、シール部材２３ａ，２４ａ（ガスケット、介在物）が設けられている。シール部材２３ａ，２４ａは、合成樹脂材料やガラスなどの絶縁体で構成されている。シール部材２３ａ，２４ａは、正極端子２３および負極端子２４と壁部２０ｆとの間を気密および液密にシール（封止）するとともに電気的に絶縁している。また、壁部２０ｆには、開口部２９（貫通孔）が設けられている。当該開口部２９は、蓋３０によって塞がれている。開口部２９は、例えば、筐体２０内に電解液を注液するための注液口として構成されうる。開口部２９は、正極端子２３と負極端子２４との間に位置している。
【００１５】
図３に示されるように、電極体２５は、シート状の正極３１と、シート状の負極３２と、複数のシート状のセパレータ３３と、を有している。電極体２５は、電極群や蓄電部とも称される。図３では、理解のために、セパレータ３３にハッチングが付されている。正極３１および負極３２は、一対の電極の一例である。なお、図３には、一部が展開された状態の電極体２５が示されている。
【００１６】
電極体２５は、正極３１および負極３２と、正極３１および負極３２間に介在したセパレータ３３と、が互いに重ねられ且つ巻かれた構成であり、扁平形状の外観を呈している。すなわち、正極３１と負極３２とは、セパレータ３３を介して重ねられている。正極３１と負極３２とは、セパレータ３３によって互いに離間させられている。また、正極３１は、二つのセパレータ３３の間に位置している。正極３１、負極３２、およびセパレータ３３が、互いに重ねられた状態で中心軸Ａｘ回りに渦巻状に巻かれて、扁平にプレスされることによって、電極体２５が作製される。電極体２５は、中心軸ＡｘがＹ方向に沿う姿勢で筐体２０に収容されている。
【００１７】
正極３１は、正極集電体４１と、正極活物質含有層（以下、正極層と称する）４２と、を有している。正極集電体４１は、例えば、基板やシート、導電体とも称される。正極層４２は、例えば、電極や層、部分とも称される。図３では、理解のために、正極層４２にハッチングが付されている。
【００１８】
正極集電体４１は、例えば金属箔によって構成されている。正極集電体４１は、略矩形（四角形）のシート状（帯状）に形成される。なお、正極集電体４１は、他の材料によって作られてもよく、他の形状に形成されても良い。
【００１９】
正極層４２は、正極集電体４１の両面（表面および裏面）に、それぞれ設けられている。なお、正極層４２は、正極集電体４１の一方の面にのみ設けられても良い。
【００２０】
正極層４２は、正極集電体４１の両面を部分的に覆っている。正極層４２の長手方向の長さは、正極集電体４１の長手方向の長さにほぼ等しい。正極層４２の短手方向の長さ（幅）は、正極集電体４１の短手方向の長さ（幅）よりも短い。
【００２１】
正極集電体４１は、正極集電タブ４１ａを有している。正極集電タブ４１ａは、正極層４２に覆われていない正極集電体４１の一部である。正極集電タブ４１ａは、帯状の正極集電体４１の、幅方向における一方の端部に設けられている。正極集電体４１の、幅方向における他方の端部は、正極層４２に覆われている。正極集電タブ４１ａは、正極集電体４１および正極層４２と平行に延びている。
【００２２】
正極層４２は、正極活物質と、導電剤と、バインダー（結着剤）とを含む。正極層４２は、例えば、正極活物質、導電剤、およびバインダーを溶媒に懸濁させ、この懸濁物（スラリー）を正極集電体４１に塗布、乾燥、およびプレスすることにより形成される。
【００２３】
正極活物質は、例えば、種々の酸化物または硫化物である。正極活物質は、例えば、二酸化マンガン（ＭｎＯ２）、酸化鉄、酸化銅、酸化ニッケル、リチウムマンガン複合酸化物(例えば、ＬｉｘＭｎ２Ｏ４またはＬｉｘＭｎＯ２)、リチウムニッケル複合酸化物(例えば、ＬｉｘＮｉＯ２)、リチウムコバルト複合酸化物(ＬｉｘＣｏＯ２)、リチウムニッケルコバルト複合酸化物（例えば、ＬｉｘＮｉ１−ｙ−ｚＣｏｙＭｚＯ２。Ｍは、Ａｌ、Ｃｒ、およびＦｅよりなる群から選択される少なくとも１種類の元素。０≦ｙ≦０．５、０≦ｚ≦０．１）、リチウムマンガンコバルト複合酸化物（例えば、ＬｉｘＭｎ１−ｙ−ｚＣｏｙＭｚＯ２。Ｍは、Ａｌ、Ｃｒ、およびＦｅよりなる群から選択される少なくとも１種類の元素。０≦ｙ≦０．５、０≦ｚ≦０．１）、リチウムマンガンニッケル複合化合物（例えば、ＬｉｘＭｎ１／３Ｎｉ１／３Ｃｏ１／３Ｏ２やＬｉｘＭｎ１／２Ｎｉ１／２Ｏ２のようなＬｉｘＭｎｙＮｉｙＭ１−２ｙＯ２。Ｍは、Ｃｏ、Ｃｒ、Ａｌ、およびＦｅよりなる群より選択される少なくとも１種類の元素。１／３≦ｙ≦１／２）、スピネル型リチウムマンガンニッケル複合酸化物（例えば、ＬｉｘＭｎ２−ｙＮｉｙＯ４）、オリビン構造を有するリチウムリン酸化物（例えば、ＬｉｘＦｅＰＯ４、ＬｉｘＦｅ１−ｙＭｎｙＰＯ４、ＬｉｘＣｏＰＯ４）、硫酸鉄（例えば、Ｆｅ２（ＳＯ４）３）、または、バナジウム酸化物（例えば、Ｖ２Ｏ５）である。正極活物質は、ポリアニリンやポリピロールのような導電性ポリマー材料、ジスルフィド系ポリマー材料、イオウ（Ｓ）、および、フッ化カーボンのような有機材料および無機材料であっても良い。なお、上記に好ましい範囲の記載がないｘ、ｙ、ｚは、０以上１以下の範囲であることが好ましい。
【００２４】
より好ましい正極活物質は、例えば、リチウムマンガン複合酸化物、リチウムニッケル複合酸化物、リチウムコバルト複合酸化物、リチウムニッケルコバルト複合酸化物、リチウムマンガンニッケル複合化合物、スピネル型リチウムマンガンニッケル複合酸化物、リチウムマンガンコバルト複合酸化物、またはリチウムリン酸鉄である。これらの正極活物質を有している電池１０は、高い電圧が得られる。
【００２５】
導電剤は、例えば、アセチレンブラック、ケッチェンブラック、黒鉛、コークス等のうち一種類または複数種である。バインダーは、例えば、ポリテトラフルオロエチレン(ＰＴＦＥ)、ポリフッ化ビニリデン(ＰＶＤＦ)、またはフッ素系ゴムである。
【００２６】
正極集電体４１は、例えば、アルミニウム箔またはアルミニウム合金箔によって構成される。
【００２７】
負極３２は、負極集電体４５と、負極活物質含有層（以下、負極層と称する）４６と、を有している。負極集電体４５は、集電体の一例であり、例えば、基板やシート、導電体とも称される。負極層４６は、活物質層の一例であり、例えば、電極や層、部分とも称される。
【００２８】
負極集電体４５は、例えば金属箔によって構成されている。負極集電体４５は、略矩形（四角形）のシート状（帯状）に形成される。なお、負極集電体４５は、他の材料によって作られてもよく、他の形状に形成されても良い。
【００２９】
負極層４６は、負極集電体４５の両面に、それぞれ設けられている。なお、負極層４６は、負極集電体４５の一方の面にのみ設けられても良い。ただし、負極層４６は、正極層４２に向く面に設けられる。
【００３０】
負極層４６は、負極集電体４５の面を部分的に覆っている。負極層４６の長手方向の長さは、負極集電体４５の長手方向の長さにほぼ等しい。負極層４６の短手方向の長さ（幅）は、負極集電体４５の短手方向の長さ（幅）よりも短い。
【００３１】
負極集電体４５は、負極集電タブ４５ａを有している。負極集電タブ４５ａは、負極活物質３６に覆われていない負極集電体４５の一部である。負極集電タブ４５ａは、帯状の負極集電体４５の、幅方向における一方の端部に設けられている。負極集電体４５の、幅方向における他方の端部は、負極層４６に覆われている。負極集電タブ４５ａは、負極集電体４５および負極層４６と平行に延びている。
【００３２】
負極集電タブ４５ａは、正極集電タブ４１ａの反対方向に突出している。すなわち、互いに重ねられるとともに巻かれた正極３１、負極３２、およびセパレータ３３（電極体２５）の一方の端部から正極集電タブ４１ａが、中心軸Ａｘの軸方向の一方側（Ｙ方向）に突出し、他方の端部から負極集電タブ４５ａが中心軸Ａｘの軸方向の他方側（Ｙ方向の反反対方向）に突出している。すなわち、正極３１と負極３２とは、互いにずらされて重ねられている。巻かれた状態の正極集電タブ４１ａによって、電極体２５の一方の端部から突出した正極集電部４３が構成され、巻かれた状態の負極集電タブ４５ａによって、電極体２５の他方の端部から突出した負極集電部４７が構成されている。正極集電部４３では、一例として、正極集電タブ４１ａの互いにＸ方向に重なった部分同士が接合されており、正極集電部４３のＸ方向の幅は、電極体２５のＸ方向の幅よりも狭い（図１４）。また、負極集電部４７では、一例として、負極集電タブ４５ａの互いにＸ方向に重なった部分同士が接合されており、負極集電部４７のＸ方向の幅は、電極体２５のＸ方向の幅よりも狭い。なお、図３では、正極集電タブ４１ａの、互いにＸ方向に重なった部分同士、および、負極集電タブ４５ａの、互いにＸ方向に重なった部分同士、が、それぞれ接合される前の状態が示されている。正極集電部４３および負極集電部４７は、筐体２０に収容されている。正極集電部４３と筐体２０との間には、筐体２０の内面に固定された絶縁性の正極電極ガード５２（図１４）が設けられており、正極集電部４３は、正極電極ガード５２に囲まれている。なお、正極集電部４３と正極電極ガード５２とは、互いに接触していてもよいし離間していてもよい。同様に、負極集電部４７と筐体２０の内面との間にも、筐体２０の内面に固定された絶縁性の負極電極ガード（不図示）が設けられており、負極集電部４７は、負極電極ガードに囲まれている。負極集電部４７と負極電極ガードとは、互いに接触していてもよいし離間していてもよい。正極集電部４３および負極集電部４７は、集電部の一例である。正極電極ガード５２および負極電極ガードは、絶縁部材とも称される。
【００３３】
負極層４６は、負極活物質と、導電剤と、バインダー（結着剤）とを含む。負極層４６は、例えば、粉末状の負極活物質、導電剤、およびバインダーを溶媒に懸濁させ、この懸濁物（スラリー）を負極集電体４５に塗布、乾燥、およびプレスすることにより形成される。プレスは、負極活物質と負極集電体４５との電気的接触を増加させるために行なわれる。
【００３４】
負極集電体４５は、例えば、銅箔、アルミニウム箔、またはアルミニウム合金箔によって構成されている。
【００３５】
負極活物質は、リチウムチタン複合酸化物（チタン酸リチウム）である。リチウムチタン複合酸化物は、例えば、Ｌｉ４＋ｘＴｉ５Ｏ１２（ｘは充放電反応により−１≦ｘ≦３の範囲で変化する）で表されるスピネル型チタン酸リチウム、ラムステライド型Ｌｉ２＋ｘＴｉ３Ｏ７（ｘは充放電反応により−１≦ｘ≦３の範囲で変化する）、または、ＴｉとＰ、Ｖ、Ｓｎ、Ｃｕ、ＮｉおよびＦｅよりなる群から選択される少なくとも１種類の元素とを含有している金属複合酸化物である。ＴｉとＰ、Ｖ、Ｓｎ、Ｃｕ、ＮｉおよびＦｅよりなる群から選択される少なくとも１種類の元素とを含有している金属複合酸化物は、例えば、ＴｉＯ２−Ｐ２Ｏ５、ＴｉＯ２−Ｖ２Ｏ５、ＴｉＯ２−Ｐ２Ｏ５−ＳｎＯ２、またはＴｉＯ２−Ｐ２Ｏ５−ＭｅＯ（ＭｅはＣｕ、ＮｉおよびＦｅよりなる群から選択される少なくとも１つの元素）である。この金属複合酸化物は、結晶性が低く、結晶相とアモルファス相が共存またはアモルファス相単独で存在したミクロ構造であることが好ましい。このようなミクロ構造の金属複合酸化物は、サイクル性能を大幅に向上させることができる。これらの金属複合酸化物は、充電によりリチウムが挿入されることでリチウムチタン複合酸化物に変化する。リチウムチタン複合酸化物のうち、スピネル型チタン酸リチウムがサイクル特性に優れ、好ましい。
【００３６】
負極層４６は、他の負極活物質として、例えば、炭素質物または金属化合物を含んでも良い。炭素質物は、例えば、天然黒鉛、人造黒鉛、コークス、気相成長炭素繊維、メソフェーズピッチ系炭素繊維、球状炭素、または樹脂焼成炭素である。より好ましい炭素質物は、気相成長炭素繊維、メソフェーズピッチ系炭素繊維、および球状炭素である。
【００３７】
金属化合物は、例えば、金属硫化物または金属窒化物である。金属硫化物は、例えば、ＴｉＳ２のような硫化チタン、ＭｏＳ２のような硫化モリブデン、またはＦｅＳ、ＦｅＳ２およびＬｉｘＦｅＳ２のような硫化鉄である。金属窒化物は、例えばリチウムコバルト窒化物（例えばＬｉｓＣｏｔＮ、０＜ｓ＜４，０＜ｔ＜０．５）である。
【００３８】
バインダーは、例えば、ポリテトラフルオロエチレン(ＰＴＦＥ）、ポリフッ化ビニリデン(ＰＶＤＦ）、フッ素系ゴム、またはスチレンブタジエンゴムである。
【００３９】
セパレータ３３は、絶縁性を有し、略矩形（四角形）のシート状（帯状）に形成される。セパレータ３３の短手方向の長さ（幅）は、正極集電体４１および負極集電体４５の短手方向の長さ（幅）よりも短い。なお、セパレータ３３の寸法はこれに限られない。
【００４０】
セパレータ３３は、例えば、ポリオレフィン、セルロース、ポリエチレンテレフタレート、およびビニロン等のポリマーで作られた多孔質フィルム、または不織布である。セパレータは一種類の材料で作られても、組み合わされた二種類以上の材料で作られても良い。
【００４１】
図２に示されるように、正極リード２６は、正極集電部４３と正極端子２３との間に介在し、正極集電部４３と正極端子２３とを電気的に接続している。また、負極リード２７は、負極集電部４７と負極端子２４との間に介在し、負極集電部４７と負極端子２４とを電気的に接続している。図４〜７に示されるように、正極リード２６と負極リード２７とは、筐体２０の上下方向（Ｚ方向）に沿う筐体２０の中心線Ｌ、に関して、対称の形状である。
【００４２】
図６，８〜１４に示されるように、正極リード２６は、第一部分２６ａと、第二部分２６ｂと、第三部分２６ｃと、第四部分２６ｄと、接続部２６ｇと、を有している。正極リード２６は、一枚の金属板を折り曲げ成形することによって、作製されうる。なお、正極リード２６は、複数の金属部材が互いに接合されたものであってもよい。第一部分２６ａ、第二部分２６ｂ、第三部分２６ｃ、第四部分２６ｄ、および接続部２６ｇは、板部や壁部とも称される。
【００４３】
第一部分２６ａは、帯状（板状）に形成されている。第一部分２６ａは、壁部２０ｆに沿って延び、当該壁部２０ｆと筐体２０の内側で重ねられている。また、第一部分２６ａには、正極端子２３が挿入（圧入）された開口部２６ｅが設けられており、第一部分２６ａは、正極端子２３と接続（結合、固定）されている。
【００４４】
第二部分２６ｂは、第一部分２６ａの端部と接続されている。一例として、第二部分２６ｂは、第三部分２６ｃおよび接続部２６ｇを介して第一部分２６ａと接続されている。
【００４５】
第二部分２６ｂは、帯状（板状）に形成されている。第二部分２６ｂは、壁部２０ａ（ＹＺ平面）に沿って延びている（図１４）。すなわち、第二部分２６ｂは、電極体２５に対する正極集電部４３の突出方向（Ｙ方向）と、筐体２０の高さ方向（Ｚ方向）と、に延びている。また、第二部分２６ｂは、正極集電部４３の突出方向（Ｙ方向）と交差（一例として、直交）するＸ方向に、正極集電部４３と重ねられている（図１４）。一例として、第二部分２６ｂは、正極集電部４３の壁部２０ａ側で正極集電部４３と重ねられている。第二部分２６ｂは、正極集電部４３と接合されている。第二部分２６ｂと正極集電部４３とは、例えば、超音波接合によって互いに接合される。第二部分２６ｂと正極集電部４３との接合部５０は、図５等に四角形状で示されている。また、図１４の断面図では、接合部５０の幅Ｂ１が示されている。接合部５０は、第二部分２６ｂと正極集電部４３とが互いに結合して連続した部分である。なお、図面では、一つの接合部５０が設けられた例が示されているが、複数の接合部５０が設けられていてもよい。また、接合部５０は、四角形状以外の形状であってもよい。Ｘ方向は、第一方向の一例である。
【００４６】
第三部分２６ｃは、第一部分２６ａの端部と接続されている。一例として、第三部分２６ｃは、接続部２６ｇを介して第一部分２６ａと接続されている。また、第三部分２６ｃは、第二部分２６ｂのＹ方向（正極集電部４３の突出方向）の端部２６ｂ１と接続されている（図１４）。
【００４７】
第三部分２６ｃは、帯状（板状）に形成されている。第三部分２６ｃは、壁部２０ｄ（ＸＺ平面）に沿って延びている（図１４）。すなわち、第三部分２６ｃは、正極集電部４３の突出方向（Ｙ方向）と交差（一例として、直交）するＸ方向と、筐体２０の高さ方向（Ｚ方向）と、に延びている。また、第三部分２６ｃは、正極集電部４３の突出方向（Ｙ方向）の端部４３ａと、当該突出方向（Ｙ方向）に面している。Ｘ方向は、第二方向の一例であり、本実施形態では、第一方向と第二方向とは、同一方向である。
【００４８】
第四部分２６ｄは、第三部分２６ｃの、第二部分２６ｂとは反対側の端部、と接続されている。第四部分２６ｄは、帯状（板状）に形成されている。第四部分２６ｄは、第三部分２６ｃの電極体２５側で、第三部分２６ｃと重ねられている（図１４）。すなわち、第四部分２６ｄは、第三部分２６ｃと面している。第四部分２６ｄは、第三部分２６ｃと略平行に設けられ、第三部分２６ｃ（ＸＺ平面）に沿って延びている。第四部分２６ｄは、第三部分２６ｃおよび接続部２６ｇを介して第一部分２６ａと接続され、第三部分２６ｃを介して第二部分２６ｂと接続されている。また、第四部分２６ｄと第二部分２６ｂとの間に、正極集電部４３の端部４３ａが位置している。なお、第四部分２６ｄは、第三部分２６ｃの電極体２５とは反対側で、第三部分２６ｃと重ねられていてもよい。
【００４９】
また、正極リード２６においては、図４〜６，８〜１４から理解できるように、Ｘ方向（第一方向）に見た場合、正極リード２６の第二部分２６ｂ以外の部分２６ｆが、接合部５０から外れた位置に設けられている。すなわち、正極リード２６では、第二部分２６ｂだけが、接合部５０とＸ方向に重なっている。第一部分２６ａ、第三部分２６ｃ、第四部分２６ｄ、および接続部２６ｇは、第二部分２６ｂ以外の部分２６ｆに含まれる。また、図１４に示されるように、正極リード２６は、正極電極ガード５２に囲まれている。
【００５０】
図４，５，７に示されるように、負極リード２７は、正極リード２６と同様に、第一部分２７ａと、第二部分２７ｂと、第三部分２７ｃと、第四部分２７ｄと、接続部２７ｇと、を有している。負極リード２７は、正極リード２６と同様に、一枚の金属板を折り曲げ成形することによって、作製されうる。なお、負極リード２７は、複数の金属部材が互いに接合されたものであってもよい。第一部分２７ａ、第二部分２７ｂ、第三部分２７ｃ、第四部分２７ｄ、および接続部２７ｇは、板部や壁部とも称される。
【００５１】
第一部分２７ａ、第二部分２７ｂ、第三部分２７ｃ、第四部分２７ｄ、および接続部２７ｇは、正極リード２６の第一部分２６ａ、第二部分２６ｂ、第三部分２６ｃ、第四部分２６ｄ、および接続部２６ｇと、筐体２０の中心線Ｌに関して対称の形状である。すなわち、負極リード２７の各部の形状は、以下のように形成されている。
【００５２】
第一部分２７ａは、帯状（板状）に形成されている。第一部分２７ａは、壁部２０ｆに沿って延び、当該壁部２０ｆと筐体２０の内側で重ねられている。また、第一部分２７ａには、負極端子２４が挿入（圧入）された開口部２７ｅが設けられており、第一部分２７ａは、負極端子２４と接続（結合、固定）されている。
【００５３】
第二部分２７ｂは、第一部分２７ａの端部と接続されている。一例として、第二部分２７ｂは、第三部分２７ｃおよび接続部２７ｇを介して第一部分２７ａと接続されている。
【００５４】
第二部分２７ｂは、帯状（板状）に形成されている。第二部分２７ｂは、壁部２０ｃ（ＹＺ平面）に沿って延びている。すなわち、第二部分２７ｂは、電極体２５に対する負極集電部４７の突出方向（Ｙ方向の反対方向）と、筐体２０の高さ方向（Ｚ方向）と、に延びている。また、第二部分２７ｂは、負極集電部４７の突出方向（Ｙ方向の反対方向）と交差（一例として、直交）するＸ方向に、負極集電部４７と重ねられている。一例として、第二部分２７ｂは、負極集電部４７の壁部２０ｃ側で、負極集電部４７と重ねられている。第二部分２７ｂは、負極集電部４７と接合されている。第二部分２７ｂと負極集電部４７とは、例えば、超音波接合によって互いに接合される。第二部分２７ｂと負極集電部４７との接合部５１は、図４中に四角形状で示されている。接合部５１は、第二部分２７ｂと負極集電部４７とが互いに結合して連続した部分である。なお、図面では、一つの接合部５１が設けられた例が示されているが、複数の接合部５１が設けられていてもよい。また、接合部５１は、四角形状以外の形状であってもよい。
【００５５】
第三部分２７ｃは、第一部分２７ａの端部と接続されている。一例として、第三部分２７ｃは、接続部２７ｇを介して第一部分２７ａと接続されている。また、第三部分２７ｃは、第二部分２７ｂにおけるＹ方向の反対方向（負極集電部４７の突出方向）の端部２７ｂ１と接続されている。
【００５６】
第三部分２７ｃは、帯状（板状）に形成されている。第三部分２７ｃは、壁部２０ｂ（ＸＺ平面）に沿って延びている。すなわち、第三部分２７ｃは、負極集電部４７の突出方向（Ｙ方向の反対方向）と交差（一例として、直交）するＸ方向と、筐体２０の高さ方向（Ｚ方向）と、に延びている。また、第三部分２７ｃは、負極集電部４７の突出方向（Ｙ方向の反対方向）の端部４７ａと当該突出方向に面している。
【００５７】
第四部分２７ｄは、第三部分２７ｃの第二部分２７ｂとは反対側の端部と接続されている。第四部分２７ｄは、帯状（板状）に形成されている。第四部分２７ｄは、第三部分２７ｃの電極体２５側で第三部分２７ｃと重ねられている。すなわち、第四部分２７ｄは、第三部分２７ｃと面している。第四部分２７ｄは、第三部分２７ｃと略平行に設けられ、第三部分２７ｃ（ＸＺ平面）に沿って延びている。第四部分２７ｄは、第三部分２７ｃおよび接続部２７ｇを介して第一部分２７ａと接続され、第三部分２７ｃを介して第二部分２７ｂと接続されている。また、第四部分２７ｄと第二部分２７ｂとの間に、負極集電部４７の端部４７ａが位置している。なお、第四部分２７ｄは、第三部分２７ｃの電極体２５とは反対側で第三部分２６ｃと重ねられていてもよい。
【００５８】
また、負極リード２７においては、Ｘ方向（第一方向）に見た場合、負極リード２７の第二部分２７ｂ以外の部分２７ｆが、接合部５１から外れた位置に設けられている。すなわち、負極リード２７では、第二部分２７ｂだけが、接合部５１とＸ方向に重なっている。第一部分２７ａ、第三部分２７ｃ、第四部分２７ｄ、および接続部２７ｇは、第二部分２７ｂ以外の部分２７ｆに含まれる。また、負極リード２７は、正極リード２６が正極電極ガード５２に囲まれているのと同様に、負極電極ガードに囲まれている。
【００５９】
以上の構成の電池１０の製造においては、蓋部材２２と一体化された状態の正極リード２６、負極リード２７、および電極体２５が、収容部材２１内に挿入される。そして、蓋部材２２が、収容部材２１の開口部（上端開口部）を塞いだ状態で、収容部材２１に結合される。その後、電解液が、蓋部材２２の開口部２９を介して筐体２０内に所定量（例えば、筐体２０内の電極体２５が電解液によって十分に浸される量）だけ注入される。そして、開口部２９が蓋３０によって封止される。
【００６０】
次に、正極集電部４３および負極集電部４７と、正極リード２６および負極リード２７との接合方法について、図１５，１６を参照して説明する。正極集電部４３および負極集電部４７と、正極リード２６および負極リード２７との接合は、正極集電部４３および負極集電部４７と、正極リード２６および負極リード２７と、が収容部材２１に収容される前に行われる。正極リード２６と正極集電部４３との接合では、図１５に示されるように、第二部分２６ｂを正極集電部４３とＸ方向に重ねる。次に、図１６に示されるように、第二部分２６ｂと正極集電部４３との重なり方向（Ｘ方向）に、第二部分２６ｂと正極集電部４３とを、超音波接合装置１００のホーン１０１とアンビル１０２とで挟む。そして、ホーン１０１とアンビル１０２とに挟まれた正極集電部４３と第二部分２６ｂとを、ホーン１０１による超音波振動によって、すなわち超音波接合装置１００によって接合する。このとき、ホーン１０１とアンビル１０２との間に介在した正極集電タブ４１ａにおける互いに重なった部分同士も接合される。負極集電部４７と負極リード２７との接合は、正極集電部４３と正極リード２６との接合と同様の方法で行われる。超音波接合装置１００は、接合装置の一例であり、ホーン１０１は、第一部材の一例であり、アンビル１０２は、第二部材の一例である。また、正極集電部４３および第二部分２６ｂは、複数の接合対象の一例である。
【００６１】
以上のように、本実施形態では、正極リード２６、負極リード２７は、第二部分２６ｂ、第二部分２７ｂと、第三部分２６ｃ、第三部分２７ｃと、を有している。以下、負極リード２７については、（）内に記載することがある。第二部分２６ｂ（第二部分２７ｂ）は、正極集電部４３（負極集電部４７）の突出方向に延びるとともに、上記突出方向と交差するＸ方向に正極集電部４３（負極集電部４７）と重ねられ当該正極集電部４３（負極集電部４７）と接合されている。第三部分２６ｃ（第三部分２７ｃ）は、第二部分２６ｂ（第二部分２６ｂ）と、Ｘ方向に延びるとともに、第二部分２６ｂ（第二部分２７ｂ）の端部２６ｂ１（端部２７ｂ１）と接続されている。そして、Ｘ方向に見た場合、正極リード２６（負極リード２７）の第二部分２６ｂ以外の部分２６ｆ（部分２７ｆ）が、正極集電部４３（負極集電部４７）と第二部分２６ｂ（第二部分２７ｂ）との接合部５０（接合部５１）から外れた位置に設けられている。したがって、本実施形態によれば、例えば、正極集電部４３（負極集電部４７）と、正極リード２６（負極リード２７）の第二部分２６ｂ（第二部分２７ｂ）とを、超音波接合装置１００のホーン１０１とアンビル１０２とで挟みやすい。よって、本実施形態は、正極集電部４３（負極集電部４７）と正極リード２６（負極リード２７）との接合にかかる手間を低減しやすい。また、本実施形態は、第三部分２６ｃ（第三部分２７ｃ）が設けられているので、第三部分２６ｃ（第三部分２７ｃ）が設けられていない構成に比べて、正極リード２６（負極リード２７）の、Ｚ方向と直交し第二部分２６ｂ（第二部分２７ｂ）を通りＸＹ平面に延びた断面（図１４）、の面積を、大きくしやすい。よって、本実施形態によれば、正極リード２６（負極リード２７）の電気抵抗を小さくしやすい。
【００６２】
また、本実施形態では、正極リード２６（負極リード２７）は、第四部分２６ｄ（第四部分２７ｄ）を有している。第四部分２６ｄ（第四部分２７ｄ）は、第三部分２６ｃ（第三部分２７ｃ）と面し、第三部分２６ｃ（第三部分２７ｃ）を介して第二部分２６ｂ（第二部分２７ｂ）と接続されている。よって、本実施形態は、第四部分２６ｄ（第四部分２７ｄ）が設けられていない構成に比べて、正極リード２６（負極リード２７）の電気抵抗を小さくしやすい。
【００６３】
また、本実施形態では、第三部分２６ｃ（第三部分２７ｃ）は、正極集電部４３（負極集電部４７）の端部４３ａ（端部４７ａ）と上記突出方向に面している。端部４３ａ（端部４７ａ）は、第二部分２６ｂ（第二部分２７ｂ）と第四部分２６ｄ（第四部分２７ｄ）との間に位置している。よって、本実施形態は、電池１０を小型化しやすい。
【００６４】
＜第２実施形態＞
図１７に示される本実施形態の電池２１０は、第１実施形態の電池１０と同様の構成を備えている。よって、本実施形態によっても、第１実施形態と同様の構成に基づく同様の結果（効果）が得られる。ただし、本実施形態では、図１７〜２１に示されるように、正極リード２２６および負極リード２２７が、第１実施形態と異なる。正極リード２２６と負極リード２２７とは、筐体２０の中心線Ｌに関して対称の形状である。
【００６５】
図２０，２２〜２８に示されるように、正極リード２２６は、第一部分２２６ａと、第二部分２２６ｂと、第三部分２２６ｃと、第四部分２２６ｄと、接続部２２６ｇと、を有している。正極リード２２６は、一枚の金属板を折り曲げ成形することによって、作製されうる。なお、正極リード２２６は、複数の金属部材が互いに接合されたものであってもよい。第一部分２２６ａ、第二部分２２６ｂ、第三部分２２６ｃ、第四部分２２６ｄ、および接続部２２６ｇは、板部や壁部とも称される。
【００６６】
第一部分２２６ａは、帯状（板状）に形成されている。第一部分２２６ａは、壁部２０ｆに沿って延び、当該壁部２０ｆと筐体２０の内側で重ねられている。また、第一部分２２６ａには、正極端子２３が挿入（圧入）された開口部２２６ｅが設けられており、第一部分２２６ａは、正極端子２３と接続（結合、固定）されている。
【００６７】
第二部分２２６ｂおよび第三部分２２６ｃは、Ｘ方向に互いに間隔を空けて並べられて、第一部分２２６ａの端部と接続されている。一例として、第二部分２２６ｂおよび第三部分２２６ｃは、接続部２２６ｇを介して第一部分２２６ａと接続されている。
【００６８】
第二部分２２６ｂおよび第三部分２２６ｃは、いずれも、帯状（板状）に形成されている。第二部分２２６ｂおよび第三部分２２６ｃは、いずれも、壁部２０ａおよび壁部２０ｃ（ＹＺ平面）に沿って延びている（図２８）。すなわち、第二部分２２６ｂおよび第三部分２２６ｃは、いずれも、電極体２５に対する正極集電部４３の突出方向（Ｙ方向）と、筐体２０の高さ方向（Ｚ方向）と、に延びている。また、第二部分２２６ｂおよび第三部分２２６ｃは、いずれも、正極集電部４３の突出方向と交差（一例として、直交）するＸ方向に、正極集電部４３と重ねられている。一例として、第二部分２２６ｂは、正極集電部４３の壁部２０ａ側で正極集電部４３と重ねられ、第三部分２２６ｃは、正極集電部４３の壁部２０ｃ側で正極集電部４３と重ねられている。すなわち、第三部分２２６ｃは、正極集電部４３の第二部分２２６ｂとは反対側で、正極集電部４３と重ねられている。
【００６９】
第二部分２２６ｂおよび第三部分２２６ｃは、いずれも、正極集電部４３と接合されている。本実施形態では、第二部分２２６ｂおよび第三部分２２６ｃは、正極集電部４３を挟んだ状態で、正極集電部４３と接合されている。第二部分２２６ｂおよび第三部分２２６ｃと、正極集電部４３とは、例えば、超音波接合によって互いに接合される。第二部分２２６ｂと正極集電部４３との第一接合部２５０、および第三部分２２６ｃと正極集電部４３との第二接合部２６０は、図１８，１９等に四角形状で示されている。また、図２８の断面図では、第一接合部２５０の幅Ｂ２および第二接合部２６０の幅Ｂ３が示されている。第一接合部２５０は、第二部分２２６ｂと正極集電部４３とが互いに結合して連続した部分であり、第二接合部２６０は、第三部分２２６ｃと正極集電部４３とが互いに結合して連続した部分である。正極集電部４３は、第一接合部２５０と、第二接合部２６０との間で、第一接合部２５０と第二接合部２６０とに渡って設けられている。なお、図面では、一つの第一接合部２５０と一つの第二接合部２６０とが設けられた例が示されているが、複数の第一接合部２５０と複数の第二接合部２６０とが設けられていてもよい。また、第一接合部２５０および第二接合部２６０は、四角形状以外の形状であってもよい。Ｘ方向は、第一方向の一例である。
【００７０】
第四部分２２６ｄは、壁部２０ｄに沿って延びている（図２８）。第四部分２２６ｄは、第二部分２２６ｂのＹ方向（正極集電部４３の突出方向）の端部と、第三部分２２６ｃのＹ方向の端部と、に渡って設けられ、第二部分２２６ｂと第三部分２２６ｃとを接続している。第四部分２２６ｄは、正極集電部４３の突出方向の端部４３ａと、正極集電部４３の突出方向に面している。また、第四部分２２６ｄは、接続部２２６ｇを介して第一部分２２６ａと接続されている。
【００７１】
また、正極リード２２６においては、図１８〜２０，２２〜２８から理解できるように、Ｘ方向（第一方向）に見た場合、正極リード２２６の第二部分２２６ｂおよび第三部分２２６ｃ以外の部分２２６ｆが、第一接合部２５０および第二接合部２６０から外れた位置に設けられている。すなわち、正極リード２２６では、第二部分２２６ｂおよび第三部分２２６ｃだけが、第一接合部２５０および第二接合部２６０とＸ方向に重なっている。第一部分２２６ａ、第四部分２２６ｄ、および接続部２２６ｇは、第二部分２２６ｂおよび第三部分２２６ｃ以外の部分２２６ｆに含まれる。
【００７２】
図１８，１９，２１に示されるように、負極リード２２７は、正極リード２２６と同様に、第一部分２２７ａと、第二部分２２７ｂと、第三部分２２７ｃと、第四部分２２７ｄと、接続部２２７ｇと、を有している。負極リード２２７は、正極リード２２６と同様に、一枚の金属板を折り曲げ成形することによって、作製されうる。なお、負極リード２２７は、複数の金属部材が互いに接合されたものであってもよい。第一部分２２７ａ、第二部分２２７ｂ、第三部分２２７ｃ、第四部分２２７ｄ、および接続部２２７ｇは、板部や壁部とも称される。
【００７３】
第一部分２２７ａ、第二部分２２７ｂ、第三部分２２７ｃ、第四部分２２７ｄ、および接続部２２７ｇは、正極リード２２６の第一部分２２６ａ、第二部分２２６ｂ、第三部分２２６ｃ、第四部分２２６ｄ、および接続部２２６ｇと、筐体２０の中心線Ｌに関して対称の形状である。すなわち、負極リード２２７の各部の形状は、以下のように形成されている。
【００７４】
第一部分２２７ａは、帯状（板状）に形成されている。第一部分２２７ａは、壁部２０ｆに沿って延び、当該壁部２０ｆと筐体２０の内側で重ねられている。また、第一部分２２７ａには、負極端子２４が挿入（圧入）された開口部２２７ｅが設けられており、第一部分２２７ａは、負極端子２４と接続（結合、固定）されている。
【００７５】
第二部分２２７ｂおよび第三部分２２７ｃは、Ｘ方向に互いに間隔を空けて並べられて、第一部分２２７ａの端部と接続されている。一例として、第二部分２２７ｂおよび第三部分２２７ｃは、接続部２２６ｇを介して第一部分２２７ａと接続されている。
【００７６】
第二部分２２７ｂおよび第三部分２２７ｃは、いずれも、帯状（板状）に形成されている。第二部分２２７ｂおよび第三部分２２７ｃは、いずれも、壁部２０ａおよび壁部２０ｃ（ＹＺ平面）に沿って延びている。すなわち、第二部分２２７ｂおよび第三部分２２７ｃは、いずれも、電極体２５に対する負極集電部４７の突出方向（Ｙ方向）と、筐体２０の高さ方向（Ｚ方向）と、に延びている。また、第二部分２２７ｂおよび第三部分２２７ｃは、いずれも、負極集電部４７の突出方向と交差（一例として、直交）するＸ方向に、負極集電部４７と重ねられている。一例として、第二部分２２７ｂは、負極集電部４７の壁部２０ｃ側で負極集電部４７と重ねられ、第三部分２２７ｃは、負極集電部４７の壁部２０ａ側で負極集電部４７と重ねられている。すなわち、第三部分２２７ｃは、負極集電部４７の第二部分２２７ｂとは反対側で、負極集電部４７と重ねられている。
【００７７】
第二部分２２７ｂおよび第三部分２２７ｃは、いずれも、負極集電部４７と接合されている。本実施形態では、第二部分２２７ｂおよび第三部分２２７ｃは、負極集電部４７を挟んだ状態で、負極集電部４７と接合されている。第二部分２２７ｂおよび第三部分２２７ｃと、負極集電部４７とは、例えば、超音波接合によって互いに接合される。第二部分２２７ｂと負極集電部４７との第一接合部２５１、および第三部分２２７ｃと負極集電部４７との第二接合部２６１は、図１８，１９に四角形状で示されている。第一接合部２５１は、第二部分２２７ｂと負極集電部４７とが互いに結合して連続した部分であり、第二接合部２６１は、第三部分２２７ｃと負極集電部４７とが互いに結合して連続した部分である。負極集電部４７は、第一接合部２５１と第二接合部２６１との間で、第一接合部２５１と第二接合部２６１とに渡って設けられている。なお、図面では、一つの第一接合部２５１と一つの第二接合部２６１とが設けられた例が示されているが、複数の第一接合部２５１と複数の第二接合部２６１とが設けられていてもよい。また、第一接合部２５１および第二接合部２６１は、四角形状以外の形状であってもよい。Ｘ方向は、第一方向の一例である。
【００７８】
第四部分２２７ｄは、壁部２０ｂに沿って延びている。第四部分２２７ｄは、第二部分２２７ｂにおけるＹ方向の反対方向（負極集電部４７の突出方向）の端部と、第三部分２２６ｃにおけるＹ方向の反対方向の端部と、に渡って設けられ、第二部分２２７ｂと第三部分２２７ｃとを接続している。第四部分２２７ｄは、負極集電部４７の突出方向の端部４７ａと負極集電部４７の突出方向に面している。また、第四部分２２７ｄは、接続部２２７ｇを介して第一部分２２７ａと接続されている。
【００７９】
また、負極リード２２７においては、Ｘ方向（第一方向）に見た場合、負極リード２２７の第二部分２２７ｂおよび第三部分２２７ｃ以外の部分２２７ｆが、第一接合部２５１および第二接合部２６１から外れた位置に設けられている。すなわち、負極リード２２７では、第二部分２２７ｂおよび第三部分２２７ｃだけが、第一接合部２５１および第二接合部２６１とＸ方向に重なっている。第一部分２２７ａ、第四部分２２７ｄ、および接続部２２７ｇは、第二部分２２７ｂおよび第三部分２２７ｃ以外の部分２２７ｆに含まれる。
【００８０】
以上の構成の電池２１０の製造においては、蓋部材２２と一体化された状態の正極リード２２６、負極リード２２７、および電極体２５が、収容部材２１内に挿入される。そして、蓋部材２２が、収容部材２１の開口部（上端開口部）を塞いだ状態で、収容部材２１に結合される。その後、電解液が、蓋部材２２の開口部２９を介して筐体２０内に所定量（例えば、筐体２０内の電極体２５が電解液によって十分に浸される量）だけ注入される。そして、開口部２９が蓋３０によって封止される。
【００８１】
次に、正極集電部４３および負極集電部４７と、正極リード２２６および負極リード２２７との接合方法について、図２９，３０を参照して説明する。正極集電部４３および負極集電部４７と、正極リード２２６および負極リード２２７との接合は、正極集電部４３および負極集電部４７と、正極リード２２６および負極リード２２７と、が収容部材２１に収容される前に行われる。正極リード２２６と正極集電部４３との接合では、図２９に示されるように、第二部分２２６ｂと第三部分２２６ｃとの間に正極集電部４３を入れる。すなわち、第二部分２２６ｂをＸ方向に正極集電部４３と重ねるとともに、第三部分２２６ｃを前記正極集電部の第二部分２２６ｂとは反対側で正極集電部４３と重ねる。次に、図３０に示されるように、第二部分２２６ｂと正極集電部４３と第三部分２２６ｃとの重なり方向（Ｘ方向）に、第二部分２２６ｂと正極集電部４３と第三部分２２６ｃとを、超音波接合装置１００のホーン１０１とアンビル１０２とで挟む。そして、ホーン１０１とアンビル１０２とに挟まれた正極集電部４３と第二部分２２６ｂと第三部分２２６ｃとを、ホーン１０１による超音波振動によって、すなわち超音波接合装置１００によって接合する。このとき、ホーン１０１とアンビル１０２との間に介在した正極集電タブ４１ａにおける互いに重なった部分同士も接合される。負極集電部４７と負極リード２２７との接合は、正極集電部４３と正極リード２２６との接合と同様の方法で行われる。正極集電部４３、第二部分２２６ｂ、および第三部分２２６ｃは、複数の接合対象の一例である。
【００８２】
以上のように、本実施形態では、正極リード２２６、負極リード２２７は、第二部分２２６ｂ、第二部分２２７ｂと、第三部分２２６ｃ、第三部分２２７ｃと、を有している。以下、負極リード２２７については、（）内に記載することがある。第二部分２２６ｂ（第二部分２２７ｂ）は、正極集電部４３（負極集電部４７）の突出方向に延びるとともに、上記突出方向と交差するＸ方向に正極集電部４３（負極集電部４７）と重ねられ当該正極集電部４３（負極集電部４７）と接合されている。第三部分２２６ｃ（第三部分２２７ｃ）は、第二部分２２６ｂ（第二部分２２７ｂ）と、正極集電部４３（負極集電部４７）の第二部分２２６ｂ（第二部分２２７ｂ）とは反対側で、正極集電部４３（負極集電部４７）と重ねられて、正極集電部４３（負極集電部４７）と接合されている。正極集電部４３（負極集電部４７）は、第二部分２２６ｂ（第二部分２２７ｂ）と正極集電部４３（負極集電部４７）との第一接合部２５０（第一接合部２５１）と、第三部分２２６ｃ（第三部分２２７ｃ）と正極集電部４３（負極集電部４７）との第二接合部２６０（第二接合部２６１）との間で、第一接合部２５０（第一接合部２５１）と第二接合部２６０（第二接合部２６１）とに渡って設けられている。そして、Ｘ方向に見た場合、正極リード２２６（負極リード２２７）の第二部分２２６ｂ（第二部分２２７ｂ）および第三部分２２６ｃ（第三部分２２７ｃ）以外の部分２２６ｆ（部分２２７ｆ）が、第一接合部２５０（第一接合部２５１）および第二接合部２６０（第二接合部２６１）から外れた位置に設けられている。したがって、本実施形態によれば、例えば、正極集電部４３（負極集電部４７）と、正極リード２２６（負極リード２２７）の第二部分２２６ｂ（第二部分２２７ｂ）および第三部分２２６ｃ（第三部分２２７ｃ）とを、超音波接合装置１００のホーン１０１とアンビル１０２とで挟みやすい。よって、本実施形態は、正極集電部４３（負極集電部４７）と正極リード２２６（負極リード２２７）との接合にかかる手間を低減しやすい。また、本実施形態は、第二部分２２６ｂ（第二部分２２７ｂ）と第三部分２２６ｃ（第三部分２２７ｃ）とが設けられているので、どちらか一方しか設けられていない構成に比べて、正極リード２２６（負極リード２２７）の、Ｚ方向と直交し第二部分２２６ｂ（第二部分２２７ｂ）を通りＸＹ平面に沿った断面（図２８）、の面積を、大きくしやすい。よって、本実施形態によれば、正極リード２２６（負極リード２２７）の電気抵抗を小さくしやすい。
【００８３】
また、本実施形態では、正極リード２２６（負極リード２２７）は、第四部分２２６ｄ（第四部分２２７ｄ）を有している。第四部分２２６ｄ（第四部分２２７ｄ）は、正極集電部４３（負極集電部４７）の、当該正極集電部４３（負極集電部４７）の突出方向の端部４３ａ，４７ａと、上記突出方向に面し、第二部分２２６ｂ（第二部分２２７ｂ）と第三部分２２６ｃ（第三部分２２７ｃ）とを接続している。よって、本実施形態によれば、第四部分２２６ｄ（第四部分２２７ｄ）が設けられていない構成に比べて、正極リード２２６（負極リード２２７）の電気抵抗を小さくしやすい。
【００８４】
以上のように、上記各実施形態によれば、正極集電部４３（負極集電部４７）と、正極リード２６，２２６（負極リード２７，２２７）と、の接合にかかる手間を低減しやすく、かつ正極リード２６，２２６（負極リード２７，２２７）の電気抵抗を小さくしやすい。
【００８５】
なお、以上の説明で、構成要素に「第一」、「第二」等の数字を付したが、これらの数字は便宜上、付したものであるので、これらの数字は適宜入れ替えることができる。
【００８６】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。また、各構成要素のスペック（構造や、種類、方向、形状、大きさ、長さ、幅、厚さ、高さ、数、配置、位置、材質等）は、適宜に変更して実施することができる。例えば、接合装置は、超音波接合装置１００に限られるものではない。接合装置は、例えば、抵抗溶接を行う抵抗溶接装置や、攪拌摩擦接合（ＦＷＳ）を行う攪拌摩擦接合装置、摩擦スポット接合（ＦＳＪ）を行う摩擦スポット接合装置等であってもよい。すなわち、接合装置は、二つの部材（第一部材、第二部材）によって複数の接合対象を挟んだ状態でこれら複数の接合対象の接合を行うものであってよい。
【符号の説明】
【００８７】
１０，２１０…電池、２０…筐体、３３…セパレータ、２５…電極体、２６…正極リード（リード）、２６ａ，２７ａ…第一部分、２６ｂ，２７ｂ…第二部分、２６ｃ，２７ｃ…第三部分、２６ｄ，２７ｄ…第四部分、２６ｆ，２７ｆ…部分、２７…負極リード（リード）、３１…正極（電極）、３２…負極（電極）、４３…正極集電部（集電部）、４３ａ…端部、４７…負極集電部、４７ａ…端部、５０，５１…接合部、１００…超音波接合装置（接合装置）、１０１…ホーン（第一部材）、１０２…アンビル（第二部材）、２５０，２５１…第一接合部、２６０，２６１…第二接合部、Ｘ…第一方向、第二方向。
【図１】
2018055890.tif 000003
【図２】
2018055890.tif 000004
【図３】
2018055890.tif 000005
【図４】
2018055890.tif 000006
【図５】
2018055890.tif 000007
【図６】
2018055890.tif 000008
【図７】
2018055890.tif 000009
【図８】
2018055890.tif 000010
【図９】
2018055890.tif 000011
【図１０】
2018055890.tif 000012
【図１１】
2018055890.tif 000013
【図１２】
2018055890.tif 000014
【図１３】
2018055890.tif 000015
【図１４】
2018055890.tif 000016
【図１５】
2018055890.tif 000017
【図１６】
2018055890.tif 000018
【図１７】
2018055890.tif 000019
【図１８】
2018055890.tif 000020
【図１９】
2018055890.tif 000021
【図２０】
2018055890.tif 000022
【図２１】
2018055890.tif 000023
【図２２】
2018055890.tif 000024
【図２３】
2018055890.tif 000025
【図２４】
2018055890.tif 000026
【図２５】
2018055890.tif 000027
【図２６】
2018055890.tif 000028
【図２７】
2018055890.tif 000029
【図２８】
2018055890.tif 000030
【図２９】
2018055890.tif 000031
【図３０】
2018055890.tif 000032